(57)【要約】【課題】本発明は、１つの操作端末装置を複数の機種の画像処理装置で共通して利用可能とする。【解決手段】画像処理システム１は、操作表示端末装置３が、操作対象の画像処理装置本体２と通信回線４で通信して、画像処理機能に対応する操作関連情報を取得する。操作表示端末装置３は、該操作関連情報のうち、画像処理装置本体２の機種に非依存の共通機能対応操作関連情報に対しては、機種共通部３１ａが、機種に依存する固有機能対応操作関連情報に対しては、機種固有部３２が、液晶表示画面、スタートキー、試しコピーキー及びＦＡＸ用ＬＥＤ等をそれぞれ制御して、画像処理装置本体２の機種にかかわらず情報の表示と操作を可能とする。【選択図】          図１
2014137602.tif 000002
【特許請求の範囲】
【請求項１】
画像処理を行う画像処理装置本体と、情報出力手段及び操作手段を備えて該画像処理装置本体に対する操作関連処理を行う操作端末装置と、を備えた画像処理システムであって、
前記操作端末装置は、
前記画像処理装置本体の備える画像処理機能に対応する操作関連情報の取得要求を該画像処理装置本体に対して行う情報取得要求手段と、
前記操作関連情報の取得要求に応じて前記画像処理装置本体から受信した前記操作関連情報のうち、前記画像処理装置本体の機種に非依存の共通機能に対応する共通機能対応操作関連情報に応じて前記情報出力手段及び前記操作手段を制御する共通機能制御手段と、
前記操作関連情報の取得要求に応じて前記画像処理装置本体から受信した前記操作関連情報のうち、前記画像処理装置本体の機種に依存する固有機能に対応する固有機能対応操作関連情報に応じて前記情報出力手段及び前記操作手段を制御する固有機能制御手段と、
を備え、
前記画像処理装置本体は、
前記操作端末装置からの前記操作関連情報の取得要求を受信すると、自己の備える画像処理機能に対応する操作関連情報を前記操作端末装置へ送信する操作関連情報提供手段、
を備えていることを特徴とする画像処理システム。
【請求項２】
前記固有機能制御手段は、
前記操作手段に対する操作が前記固有機能対応操作関連情報と矛盾する場合には、該操作を無視することを特徴とする請求項１記載の画像処理システム。
【請求項３】
前記操作端末装置は、
前記画像処理装置本体の機種に対応する前記機種固有対応操作関連情報を搭載する前記固有機能制御手段が着脱可能に装着されることを特徴とする請求項１または請求項２記載の画像処理システム。
【請求項４】
前記固有機能制御手段は、
前記画像処理装置本体から取得した前記固有機能の前記操作関連情報が、処理可能な固有機能とは異なると、その旨の警告を前記情報出力手段に出力させることを特徴とする請求項１から請求項３のいずれかに記載の画像処理システム。
【請求項５】
情報出力手段及び操作手段を備えて画像処理装置本体に対する操作関連処理を行う操作端末装置であって、
前記画像処理装置本体の備える画像処理機能に対応する操作関連情報の取得要求を該画像処理装置本体に対して行う情報取得要求手段と、
前記操作関連情報の取得要求に応じて前記画像処理装置本体から受信した前記操作関連情報のうち、前記画像処理装置本体の機種に非依存の共通機能に対応する共通機能対応操作関連情報に応じて前記情報出力手段及び前記操作手段を制御する共通機能制御手段と、
前記操作関連情報の取得要求に応じて前記画像処理装置本体から受信した前記操作関連情報のうち、前記画像処理装置本体の機種に依存する固有機能に対応する固有機能対応操作関連情報に応じて前記情報出力手段及び前記操作手段を制御する固有機能制御手段と、
を備えていることを特徴とする操作端末装置。
【請求項６】
画像処理を行う画像処理装置本体と、情報出力手段及び操作手段を備えて該画像処理装置本体に対する操作関連処理を行う操作端末装置と、を備えた画像処理システムに搭載される操作制御プログラムであって、
前記操作端末装置の搭載する制御プロセッサに、
前記画像処理装置本体の備える画像処理機能に対応する操作関連情報の取得要求を該画像処理装置本体に対して行う情報取得要求処理と、
前記操作関連情報の取得要求に応じて前記画像処理装置本体から受信した前記操作関連情報のうち、前記画像処理装置本体の機種に非依存の共通機能に対応する共通機能対応操作関連情報に応じて前記情報出力手段及び前記操作手段を制御する共通機能制御処理と、
前記操作関連情報の取得要求に応じて前記画像処理装置本体から受信した前記操作関連情報のうち、前記画像処理装置本体の機種に依存する固有機能に対応する固有機能対応操作関連情報に応じて前記情報出力手段及び前記操作手段を制御する固有機能制御処理と、
を実行させ、
前記画像処理装置本体の搭載する制御プロセッサに、
前記操作端末装置からの前記操作関連情報の取得要求を受信すると、自己の備える画像処理機能に対応する操作関連情報を前記操作端末装置へ送信する操作関連情報提供処理、
を実行させることを特徴とする操作制御プログラム。
【発明の詳細な説明】
【技術分野】
【０００１】
本発明は、画像処理システム、操作端末装置及び操作制御プログラムに関し、詳細には、複数の機種の画像処理装置で共通して１つの操作端末装置を利用可能な画像処理システム、操作端末装置及び操作制御プログラムに関する。
【背景技術】
【０００２】
プリンタ装置、ファクシミリ装置、複写装置、複合装置、スキャナ装置等の画像処理装置においては、従来、画像処理装置に固定的に設けられている操作表示部を用いて、該画像処理装置に動作させる操作命令の入力や画像処理装置からの各種情報の表示等を行なっている。
【０００３】
このような従来の操作表示部は、固定的に画像処理装置に取り付けられていることもあるが、他の機種の画像処理装置の操作表示部として利用しようとしても、適用先の画像処理装置と元の画像処理装置との機種の相違によって適用することができない。
【０００４】
すなわち、元の画像処理装置と適用先の画像処理装置とで、操作表示部として要求されるハードウェア上の相違とデータ上の相違がある。例えば、ハードウェア上の相違としては、試しコピーキーの有無、省電力キーの有無等のハードキーにおける構成の相違や、ＦＡＸ  ＬＥＤ（Light Emitting Diode）の個数（通信中／代行受信あり／親展文書あり用のＬＥＤ）等の情報通知用ランプ個数の相違等がある。また、データ上の相違としては、カラートナー画像の有無等のように表示画像の相違、対応しているフォントの相違及び対応言語の相違等がある。
【０００５】
すなわち、画像処理装置は、それぞれ機種によって搭載している機能が異なり、その機能を利用した動作を操作表示部から行うために操作表示部として必要なハードウェア上およびデータ上の相違がある。したがって、１つの操作表示部を複数の機種の画像処理装置に適用する場合には、機種それぞれの要求するハードウェアとデータ上の相違を、解決する必要がある。
【０００６】
そして、従来、電子機器と、前記電子機器と通信可能な操作装置とを備えるリモート操作システムにおいて、前記操作装置は、前記電子機器から装置情報を取得する装置情報取得手段と、前記取得した装置情報に基づいて操作画面を生成し表示する操作画面表示手段と、前記表示された操作画面上で操作又は設定された内容を動作設定情報として前記電子機器に送信する設定情報送信手段とを備え、前記電子機器は、前記操作装置から受信した動作設定情報に基づいて動作するリモート操作システムが提案されている（特許文献１参照）。
【０００７】
すなわち、この従来技術は、操作装置が、電子機器から装置情報を取得して、該装置情報に基づいて操作画面を生成し、該操作画面で操作または設定された内容を動作設定情報として電子機器に送信して、電子機器が、該動作設定情報に基づいて動作している。
【発明の概要】
【発明が解決しようとする課題】
【０００８】
しかしながら、上記公報記載の従来技術にあっては、操作装置が電子機器から装置情報を取得して、該装置情報に基づいて操作画面を生成して操作や設定を可能としているだけである。したがって、上記公報記載の従来技術は、機種毎に異なるハードウェア上の相違とデータ上の相違をどのように解決するかが不明確であるという問題があった。
【０００９】
そこで、本発明は、１つの操作端末装置を異なる機種の画像処理装置本体に適切に適用することを目的としている。
【課題を解決するための手段】
【００１０】
上記目的を達成するために、請求項１記載の画像処理システムは、画像処理を行う画像処理装置本体と、情報出力手段及び操作手段を備えて該画像処理装置本体に対する操作関連処理を行う操作端末装置と、を備えた画像処理システムであって、前記操作端末装置は、前記画像処理装置本体の備える画像処理機能に対応する操作関連情報の取得要求を該画像処理装置本体に対して行う情報取得要求手段と、前記操作関連情報の取得要求に応じて前記画像処理装置本体から受信した前記操作関連情報のうち、前記画像処理装置本体の機種に非依存の共通機能に対応する共通機能対応操作関連情報に応じて前記情報出力手段及び前記操作手段を制御する共通機能制御手段と、前記操作関連情報の取得要求に応じて前記画像処理装置本体から受信した前記操作関連情報のうち、前記画像処理装置本体の機種に依存する固有機能に対応する固有機能対応操作関連情報に応じて前記情報出力手段及び前記操作手段を制御する固有機能制御手段と、を備え、前記画像処理装置本体は、前記操作端末装置からの前記操作関連情報の取得要求を受信すると、自己の備える画像処理機能に対応する操作関連情報を前記操作端末装置へ送信する操作関連情報提供手段、を備えていることを特徴としている。
【発明の効果】
【００１１】
本発明によれば、１つの操作端末装置を異なる機種の画像処理装置本体に適切に適用することができる。
【図面の簡単な説明】
【００１２】
【図１】本発明の一実施例を適用した画像処理システムのブロック構成図。
【図２】操作表示端末装置の平面図。
【図３】画像処理装置本体の機種が異なる場合における操作表示端末装置の例を示す図。
【図４】機種Ａの場合における表示画面制御の一例を示す図。
【図５】機種Ｂの場合における表示画面制御の一例を示す図。
【図６】機種Ａの場合におけるＦＡＸ用ＬＥＤの制御の一例を示す図。
【図７】機種Ａの場合における試しコピーキーの制御の一例を示す図。
【図８】機種Ｂの場合における試しコピーキーの制御の一例を示す図。
【図９】機能共通部による基本処理の例を示す操作表示端末装置の平面図。
【図１０】インストールされている機能固有情報と画像処理装置本体の機能に相違がある旨を通知する操作表示端末装置の平面図。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図９は、本発明の画像処理システム、操作端末装置及び操作制御プログラムの一実施例を示す図であり、図１は、本発明の画像処理システム、操作端末装置及び操作制御プログラムの一実施例を適用した画像処理システム１のブロック構成図である。
【００１５】
図１において、画像処理システム１は、画像処理装置本体２と操作表示端末装置（操作端末装置）３とを備えており、操作表示端末装置３は、該画像処理装置本体２に対して、有線及び無線の適宜の通信方式の通信回線４によって選択的に接続される。この画像処理装置本体２と操作表示端末装置３との通信方式は、適宜の通信方式を用いることができ、例えば、ＵＳＢ（Universal Serial Bus）、シリアル通信、イーサネット（登録商標）やＷｉｆｉ等のＩＰプロトコルで通信する有線ＬＡＮ（Local Area Network）や無線ＬＡＮ、Ｂｌｕｅｔｏｏｔｈ（登録商標）やＩｒＤＡ等を用いることができる。
【００１６】
画像処理装置本体２は、例えば、ファクシミリ装置、複写装置、プリンタ装置、スキャナ装置、複合装置等の画像処理装置本体であり、本実施例では、複合装置が用いられている。画像処理装置本体２は、画像処理装置本体として必要なスキャナデバイス２１やプロッタデバイス２２等のハードウェアを備えている。また、画像処理装置本体２は、ハードウェアであるハードディスクやＲＯＭ（Read Only Memory）等に格納されているＯＳ（Operating System：オペレーションシステム）２０上に、各種アプリケーションが搭載されることで、ハードウェアを利用した各種動作機能、プリンタ機能、スキャナ機能、コピー機能、ファクシミリ機能、フォルダ送信、メール通信等を実行する。画像処理装置本体２は、そのＯＳ２０として、例えば、ＵＮＩＸ（登録商標）等の汎用ＯＳが用いられている。
【００１７】
すなわち、画像処理装置本体２は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の操作制御方法のうち、画像処理装置本体２で実行する操作制御方法を実行させる画像処理装置本体２用の操作制御プログラムを読み込んで、図示しない不揮発性メモリやハードディスク等に導入することで、後述する１つの操作表示端末装置３を複数の機種の画像処理装置本体２の操作部として利用する操作制御方法を実行する画像処理装置本体として構築されている。この操作制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００１８】
そして、画像処理装置本体２は、上述のように、画像処理装置として必要なスキャナデバイス２１、プロッタデバイス２２等各部を備えているとともに、画像処理装置本体２用の操作制御プログラムが導入されることで、印刷制御部２３、送信制御部２４、通信制御部２５及び通信Ｉ／Ｆ２６等が構築されている。
【００１９】
スキャナデバイス２１は、例えば、ＣＣＤ（Charge Coupled Device ）またはＣＭＯＳ（Complementary Metal Oxide Semiconductor ）を利用したイメージスキャナ等が利用されており、一般的に、ＡＤＦ（Auto Document Feeder）を備えている。ＡＤＦは、セットされた原稿を１枚ずつスキャナデバイス２１の原稿読取位置に送給する。スキャナデバイス２１は、ＡＤＦから搬送されてきた原稿に光を照射し、原稿で反射された光をＣＣＤまたはＣＭＯＳで光電変換して、原稿の画像を所定の解像度で読み取る。また、スキャナデバイス２１は、読み取った画像データに対して必要な画像処理を施して、送信制御部２４に渡す。
【００２０】
プロッタデバイス２２は、印刷制御部２３から渡される描画データ及び制御信号に基づいて、用紙に画像を印刷出力（画像形成出力）して、印刷済みの用紙を、排紙トレイ上に排出する。すなわち、プロッタデバイス２２は、電子写真方式のエンジンの場合、図示しないが、電子写真方式で用紙に描画データに基づいて印刷処理を行うのに必要な部品、例えば、感光体、帯電部、光書込部、現像部、転写部及びクリーニング部等の画像形成ユニットを備えている。プロッタデバイス２２は、カラープロッタであるときには、画像形成ユニットをカラー分、例えば、ＣＭＹＫ分だけ備えている。プロッタデバイス２２は、描画データ及び制御信号により光書込部を動作させて、帯電部による一様に帯電されている感光体上に静電潜像を形成して、現像部によりトナーを感光体上に供給して現像してトナー画像を形成する。プロッタデバイス２２は、給紙部から用紙を感光体と転写部との間に給紙して、感光体上のトナー画像を転写部によって用紙に転写させ、トナー画像の転写された用紙を定着部に搬送して、定着部で加熱・加圧して用紙上のトナー画像を定着させることで、印刷処理を行う。
【００２１】
印刷制御部（操作関連情報提供手段、動作制御手段）２３は、スキャナデバイス２１、プロッタデバイス２２及び通信制御部２５に接続され、ＯＳ２０の管理する装置管理情報に基づいて、スキャナデバイス２１、プロッタデバイス２２及びその他の動作制御を行う。また、印刷制御部２３は、通信制御部２５を介して操作表示端末装置３に操作関連情報を送信する。
【００２２】
通信Ｉ／Ｆ（装置通信手段）２８は、上記ＵＳＢ、シリアル通信、イーサネットネットやＷｉｆｉ等のＩＰプロトコルで通信する有線ＬＡＮや無線ＬＡＮ、ＢｌｕｅｔｏｏｔｈやＩｒＤＡ等によって通信回線４を介して操作表示端末装置３と通信する。
【００２３】
通信制御部２５は、通信Ｉ／Ｆ２６を介して受信するデータを制御して、画像処理装置本体２の各部にデータを転送したり、画像処理装置本体２の各部から受信するデータを制御して、通信Ｉ／Ｆ２６を介して操作表示端末装置３や他の装置へ転送したりする。
【００２４】
送信制御部２４は、スキャナデバイス２１の読み取った画像データを、他の装置に通信Ｉ／Ｆ２６を介して転送してその装置の記憶部のフォルダに記憶させるフォルダ送信、ＳＭＢ（Server Message Block）を用いて他の装置にネットワークを介して添付文書として文書画像データを添付してメールで送信するメール送信、画像処理装置本体２に着脱可能に装着されたＵＳＢ（Universal Serial Bus）メモリ、ＳＤメモリ等の電子メディアに書き込む電子メディア書込出力及び自機でのプリント出力や操作表示端末装置３への表示出力等の出力方式を利用して出力する。
【００２５】
画像処理装置本体２は、本実施例では、その操作表示部として、画像処理装置本体２とＵＳＢ等の有線の通信回線４で接続された操作表示端末装置３が利用されるが、その他に、画像処理装置本体２とは別体の携帯端末装置として構成され、画像処理装置本体２と無線の通信回線で接続される操作表示端末装置３を利用するようにしてもよい。この操作表示部としては、画像処理装置本体２の各種機能を動作させるのに必要な命令を入力操作する操作キー及び必要な各種情報を表示するディスプレイを備えている。
【００２６】
そして、操作表示端末装置３は、本体筐体３ａに、表示画面３ｂ、スタートキー３ｃ、試しコピーキー３ｄ及びＦＡＸ用ＬＥＤ（Light Emitting Diode）３ｅ等のハードウェアが設けられている。
【００２７】
操作表示端末装置３は、ハードウェアであるＲＯＭやＲＡＭ（Random Access Memory）等に格納されているＯＳ３０上に、各種プログラムが搭載されることで、ＣＰＵが、該プログラムに従って表示画面３ｂ、スタートキー３ｃ、試しコピーキー３ｄ、ＦＡＸ用ＬＥＤ３ｅ及び図示しない通信用ハードウェア等を利用した各種動作機能、通信機能等を実行する。操作表示端末装置３は、そのＯＳ３０として、例えば、Android（登録商標）、IOS（登録商標）、windows（登録商標）等を搭載している。操作表示端末装置３は、その搭載するＯＳ３０が、画像処理装置本体２の搭載するＯＳ２０とは異なるＯＳであってもよいし、画像処理装置本体２が搭載しているＯＳ２０と同じＯＳであってもよい。なお、表示画面３ｂ及びＦＡＸ用ＬＥＤ３ｅは、全体として、情報出力手段として機能し、スタートキー３ｃ、試しコピーキー３ｄ及び表示画面３ｂに表示される機能ボタンは、全体として、操作手段として機能している。
【００２８】
すなわち、操作表示端末装置３は、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明の操作制御方法のうち、操作表示端末装置３で実行する操作制御方法を実行させる操作表示端末装置３用の操作制御プログラムを読み込んで、図示しない不揮発性メモリやハードディスク等に導入することで、後述する操作表示端末装置３を複数機種の画像処理装置本体２の操作表示端末装置として適用させる操作表示端末装置として構築されている。この操作制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００２９】
そして、操作表示端末装置３は、本発明の操作制御プログラムとして、各種機種の画像処理装置本体２に基本動作を行わせる操作表示部として機能するのに必要な基本操作表示アプリケーションと、その機種固有の動作を行わせる操作表示部として機能するのに必要な固有操作表示アプリケーションとが導入されている。したがって、操作表示端末装置３は、画像処理装置本体２の操作表示部の基本操作表示部及び固有操作表示部として機能する。
【００３０】
操作表示端末装置３は、操作表示端末装置３として必要な表示画面３ｂ等のハードウェア各部を備えているとともに、上記操作表示端末装置３用の操作制御プログラムが導入されることで、操作情報表示部３１、機種共通部３１ａ、機種固有部３１ｂ、通信制御部３２及び通信Ｉ／Ｆ３３等が構築される。
【００３１】
操作情報表示部３１は、上記表示画面３ｂを利用して、操作表示端末装置３からユーザに通知する各種情報を表示出力したり、機能ボタンを表示してユーザの操作した機能ボタンに対応する操作情報を通信制御部３２に渡す。操作情報表示部３１は、画像処理装置本体２の操作表示部として機能するときには、機種共通部３１ａ及び機種固有部３１ｂによってその動作が制御された表示項目がある。
【００３２】
機種共通部３１ａは、上記基本操作表示アプリケーションに基づいて、画像処理装置本体２の機種に非依存の操作表示動作を行う。すなわち、機種共通部３１ａは、操作関連情報取得要求に応じて画像処理装置本体２から送られてくる操作関連情報のうち、画像処理装置本体２の機種に非依存の共通機能に対応する共通機能対応操作関連情報に応じて、表示画面３ｂ、スタートキー３ｃ、試しコピーキー３ｄ、ＦＡＸ用ＬＥＤ３ｅ等の情報出力手段及び操作手段を制御し、共通機能制御手段として機能している。
【００３３】
機種共通部３１ａは、具体的には、共通機能対応操作関連情報に応じて、画像処理装置本体２の機種の相違にかかわらずに操作表示部として必要な情報や機能ボタンを液晶表示画面３ｂに表示させ、その機能ボタンの操作情報を通信制御部３２に渡す。また、機種共通部３１ａは、スタートキー３ｃを機種共通の処理対象として利用して、画像処理装置本体２の機種にかかわらず操作表示部として処理する必要のある各種動作のスタートを指示操作を可能とする。さらに、機種共通部３１ａは、操作対象となる画像処理装置本体２の機種によっては、試しコピーキー３ｄを機種共通の処理対象として利用して、試しコピーの指示操作を可能とする。
【００３４】
機種固有部３１ｂは、上記固有操作表示アプリケーションに基づいて、画像処理装置本体２の機種に依存する操作表示動作を行う。すなわち、機種固有部３１ｂは、操作関連情報取得要求に応じて前記画像処理装置本体２から送られてくる操作関連情報のうち、該画像処理装置本体２の機種に依存する固有機能に対応する固有機能対応操作関連情報に応じて、表示画面３ｂ、スタートキー３ｃ、試しコピーキー３ｄ、ＦＡＸ用ＬＥＤ３ｅ等の情報出力手段及び操作手段を制御し、固有機能制御手段として機能している。
【００３５】
機種固有部３１ｂは、具体的には、機種固有対応操作関連情報に応じて、種々の機種の画像処理装置本体２の固有の操作表示部としての処理（固有処理）を、表示画面３ｂに表示させる。また、機種固有部３１ｂは、種々の機種の画像処理装置本体２の固有部として、試しコピーキー３ｄ及びＦＡＸ用ＬＥＤ３ｅの操作や点灯／消灯を制御する。
【００３６】
通信Ｉ／Ｆ（端末通信手段）３３は、上記ＵＳＢ、シリアル通信、イーサネットネットやＷｉｆｉ等のＩＰプロトコルで通信する有線ＬＡＮや無線ＬＡＮ、ＢｌｕｅｔｏｏｔｈやＩｒＤＡ等によって、画像処理装置本体２と通信する。
【００３７】
通信制御部（通信制御手段）３２は、機種共通部３１ａと機種固有部３１ｂによる制御結果に応じて、表示画面３ｂの機能ボタン、スタートキー３ｃ、試しコピーキー３ｄ等に対して実行された操作情報を通信Ｉ／Ｆ３３を介して画像処理装置本体２へ送信する。また、通信制御部３２は、通信Ｉ／Ｆ３３を介して受信するデータを制御して、操作表示端末装置３の各部にデータを転送したり、操作表示端末装置３の各部から受信するデータを制御して、通信Ｉ／Ｆ３３を介して画像処理装置本体２の各部や他の装置へ転送したりする。
【００３８】
次に、本実施例の作用を説明する。本実施例の画像処理システム１は、操作表示端末装置３が、機種の異なる複数の画像処理装置本体２の操作表示部として機能する。
【００３９】
まず、操作表示端末装置３が、図３（ａ）に示す操作表示端末装置３Ａ及び図３（ｂ）に示す操作表示端末装置３Ｂの代わりに用いられる場合について、以下説明する。図３（ａ）は、画像処理装置本体２が、カラー機能、試しコピー機能及び３種類（通信中、代行受信あり、親展受信あり）のＦＡＸ通知機能を備えている機種である場合の操作表示端末装置３Ａである。図３（ｂ）は、画像処理装置本体２が、モノクロ機能のみを備え、ＦＡＸ通知機能及び試しコピー機能を有していない機種である場合の操作表示端末装置３Ｂである。
【００４０】
図３（ａ）において、実線で示す部分が共通部分であり、破線で示す部分が機種固有部分である。すなわち、図３（ａ）では、画像処理装置本体２がカラー機であるので、トナー情報として、カラートナーの残量表示、原稿種類として、モノクロとカラーのいずれかを表示、トナーエンド情報としてどのカラーのトナーが無くなったかの表示等が機種固有部分となる。
【００４１】
すなわち、図３（ａ）の操作表示端末装置３Ａの機能を実現するためには、破線で示した機種固有部分を、図２に示した本実施例の操作表示端末装置３の表示画面３ｂ及びＦＡＸ用ＬＥＤ３ｅで実現する必要がある。
【００４２】
また、図３（ｂ）では、画像処理装置本体２がモノクロ機であるので、トナー残量の表示が１種類のみであること、及び、試しコピー機能とＦＡＸ機能を備えていないため、これらの部分が機種固有部分となる。
【００４３】
すなわち、図３（ｂ）の操作表示端末装置３Ｂの機能を実現するためには、破線で示した機能固有部分を、図２に示した本実施例の操作表示端末装置３の表示画面３ｂ、試しコピーキー３ｄ及びＦＡＸ用ＬＥＤ３ｅで実現する必要がある。
【００４４】
そして、本実施例の画像書理システム１は、機種Ａの画像処理装置本体２に対して、図２の操作表示端末装置３を適用させるためには、表示画面３ｂへの表示に関しては、例えば、コピー操作を行う場合、図４に示すように表示画面制御を行う。
【００４５】
すなわち、図４に示すように、ユーザＵが、原稿を画像処理装置本体２のスキャナにセットして、操作表示端末装置３の表示画面３ｂに対してコピー画面表示依頼を行うと（Ｓ１）、操作情報表示部３１が、機種共通部３１ａに対して、コピー画面表示を要求する。
【００４６】
機種共通部３１ａは、通信制御部３２に対してコピー画面要求を行ない、通信制御部３２が通信Ｉ／Ｆ３３から通信回線４を介して画像処理装置本体２の通信制御部２５にコピー画面要求（操作関連情報の取得要求）を送信する（Ｓ２）。
【００４７】
画像処理装置本体２の通信制御部２５は、通信Ｉ／Ｆ２６を介して操作表示端末装置３からコピー画面要求を受け取ると、印刷制御部２３にその旨を通知し、コピー画面表示用のウィンドウ描画データ（画像ＩＤ）を通信制御部２５に渡す。通信制御部２５は、印刷制御部２３から受け取ったウィンドウ描画データ（操作関連情報）を通信回線４を介して操作表示端末装置３に送信する（Ｓ３）。
【００４８】
また、画像処理装置本体２の印刷制御部２３は、ボタン表示データ（画像ＩＤ）を通信制御部２５を介して操作表示端末装置３に送信する（Ｓ４）。
【００４９】
操作表示端末装置３は、通信制御部３２が画像処理装置本体２からウィンドウ描画データとボタン表示データを受信すると、機種共通部３１ａが操作情報表示部３１に渡して、操作情報表示部３１が、図４の右側に示すように、表示画面３ｂにウィンドウとボタンを表示させる。
【００５０】
さらに、画像処理装置本体２の印刷制御部２３は、自機が備えているトナーの種類とその残量に対応するトナー残量を、画像表示データ（画像ＩＤ）として、順次トナーの種類分だけ、通信制御部２５を介して操作表示端末装置３に送信する（Ｓ５）。
【００５１】
操作表示端末装置３の機種共通部３１ａは、画像処理装置本体２から送られてきたデータに対応する表示画像を備えていないときには、機種固有部３１ｂに該データを渡す。機種固有部３１ｂは、受け取ったデータ（画像ＩＤ）に基づいて、図４の右側に示すように、表示画面３ｂのウィンドウ画像内に画像を表示する（Ｓ６）。いま、機種Ａは、カラー機であるので、Ｃ（シアン）、Ｍ（マゼンタ）、Ｙ（イエロー）、Ｋ（ブラック）の各色についてのトナー残量を表示する。
【００５２】
次に、画像処理装置本体２の印刷制御部２３は、原稿種類のメッセージデータ（文字列ＩＤ）を、通信制御部２５を介して操作表示端末装置３に送信する（Ｓ７）。
【００５３】
操作表示端末装置３の機種共通部３１ａは、画像処理装置本体２から送信されてきたデータに対応する文字列を備えていないときには、機種固有部３１ｂに文字列の取得要求と文字列ＩＤを渡す（Ｓ８）。
【００５４】
機種固有部３１ｂは、渡された文字列（原稿種類）を生成して、操作情報表示部３１に渡し、操作情報表示部３１が、図４の右側に示すように、表示画面３ｂに文字列の表示を行う。
【００５５】
また、画像処理装置本体２の印刷制御部２３は、原稿種類に対応するボタン表示データ（画像ＩＤ）を通信制御部２５を介して操作表示端末装置３に送信する（Ｓ９）。
【００５６】
操作表示端末装置３は、通信制御部３２が画像処理装置本体２から原稿種類を表示させるためのボタン表示データを受信すると、機種共通部３１ａが操作情報表示部３１に渡して、操作情報表示部３１が、図４の右側に示すように、表示画面３ｂに原稿種類を表示させる箇所に対応する位置にボタンを表示させる。
【００５７】
さらに、画像処理装置本体２の印刷制御部２３は、原稿種類としてボタンに表示する文字列を、通信制御部２５を介して操作表示端末装置３に送信する（Ｓ１０）。
【００５８】
操作表示端末装置３の機種共通部３１ａは、画像処理装置本体２から送信されてきたデータに対応する文字列を備えていないときには、機種固有部３１ｂに文字列の取得要求と文字列ＩＤを渡す（Ｓ１１）。
【００５９】
機種固有部３１ｂは、渡された文字列（モノクロ）を生成して、操作情報表示部３１に渡し、操作情報表示部３１が、図４の右側に示すように、表示画面３ｂに上記描画したボタンに埋め込む状態で文字列（図４では、「モノクロ」）を表示させる。
【００６０】
以下、表示データに対応するデータの印刷制御部２３から操作表示端末装置３への送信と、操作表示端末装置３での機種共通部３１ａと機種固有部３１ｂによる表示画面３ｂへの表示を行なって、図３（ａ）の表示画面３Ａｂに示したような画面表示を行う。
【００６１】
次に、本実施例の画像書理システム１は、機種Ｂの画像処理装置本体２に対して、図２の操作表示端末装置３を適用させるためには、表示画面３ｂへの表示に関しては、例えば、コピー操作を行う場合、図５に示すように表示画面制御を行う。
【００６２】
すなわち、図５に示すように、ユーザＵが、原稿を画像処理装置本体２のスキャナにセットして、操作表示端末装置３の表示画面３ｂに対してコピー画面表示依頼を行うと（Ｓ２１）、操作情報表示部３１が、機種共通部３１ａに対して、コピー画面表示を要求する。
【００６３】
機種共通部３１ａは、通信制御部３２に対してコピー画面要求を行ない、通信制御部３２が通信Ｉ／Ｆ３３から通信回線４を介して画像処理装置本体２の通信制御部２５にコピー画面要求（操作関連情報の取得要求）を送信する（Ｓ２２）。
【００６４】
画像処理装置本体２の通信制御部２５は、通信Ｉ／Ｆ２６を介して操作表示端末装置３からコピー画面要求を受け取ると、印刷制御部２３にその旨を通知し、コピー画面表示用のウィンドウ描画データ（画像ＩＤ）を通信制御部２５に渡す。通信制御部２５は、印刷制御部２３から受け取ったウィンドウ描画データ（操作関連情報）を通信回線４を介して操作表示端末装置３に送信する（Ｓ２３）。
【００６５】
また、画像処理装置本体２の印刷制御部２３は、ボタン表示データ（画像ＩＤ）を通信制御部２５を介して操作表示端末装置３に送信する（Ｓ２４）。
【００６６】
操作表示端末装置３は、通信制御部３２が画像処理装置本体２からウィンドウ描画データとボタン表示データを受信すると、機種共通部３１ａが操作情報表示部３１に渡して、操作情報表示部３１が、図５の右側に示すように、表示画面３ｂにウィンドウとボタンを表示させる。
【００６７】
さらに、画像処理装置本体２の印刷制御部２３は、自機が備えているトナーの種類とその残量に対応するトナー残量を、画像表示データ（画像ＩＤ）として、通信制御部２５を介して操作表示端末装置３に送信する（Ｓ２５）。
【００６８】
操作表示端末装置３の機種共通部３１ａは、画像処理装置本体２から送られてきたデータに対応する表示画像を備えていないときには、機種固有部３１ｂに該データを渡す。機種固有部３１ｂは、受け取ったデータに基づいて、図５の右側に示すように、表示画面３ｂのウィンドウ画像内に画像を表示する（Ｓ２６）。いま、機種Ｂでは、モノクロ機であるので、単に、トナー残量のみを表示する。
【００６９】
次に、画像処理装置本体２の印刷制御部２３は、トナー残量のメッセージデータを、通信制御部２５を介して操作表示端末装置３に送信する（Ｓ２７）。
【００７０】
操作表示端末装置３の機種共通部３１ａは、画像処理装置本体２から送信されてきたデータに対応する表示画像を備えていないときには、機種固有部３１ｂに文字列の取得要求と文字列ＩＤを渡す（Ｓ２８）。
【００７１】
機種固有部３１ｂは、渡された文字列（トナー残量）を生成して、操作情報表示部３１に渡し、操作情報表示部３１が、図５の右側に示すように、表示画面３ｂに上記描画したウィンドウのボタンに埋め込む状態で文字列を表示させる。
【００７２】
また、画像処理装置本体２の印刷制御部２３は、用紙サイズに対応するボタン表示データ（画像ＩＤ）を通信制御部２５を介して操作表示端末装置３に送信する（Ｓ２９）。
【００７３】
操作表示端末装置３は、通信制御部３２が画像処理装置本体２から用紙サイズのメッセージデータに対応するボタン表示データを受信すると、機種共通部３１ａが操作情報表示部３１に渡して、操作情報表示部３１が、図５の右側に示すように、表示画面３ｂに用紙サイズのメッセージに対応する位置にボタンを表示させる。
【００７４】
さらに、画像処理装置本体２の印刷制御部２３は、用紙サイズに対応するボタンに表示する文字列を、通信制御部２５を介して操作表示端末装置３に送信する（Ｓ３０）。
【００７５】
操作表示端末装置３の機種共通部３１ａは、画像処理装置本体２から送信されてきたデータに対応する表示画像を備えていないときには、機種固有部３１ｂに文字列の取得要求と文字列ＩＤを渡す（Ｓ３１）。
【００７６】
機種固有部３１ｂは、渡された文字列（Ａ４）を生成して、操作情報表示部３１に渡し、操作情報表示部３１が、図５の右側に示すように、表示画面３ｂに上記描画したウィンドウのボタンに埋め込む状態で文字列を表示させる。
【００７７】
以下、表示データに対応するデータの印刷制御部２３から操作表示端末装置３への送信と、操作表示端末装置３での機種共通部３１ａと機種固有部３１ｂによる表示画面３ｂへの表示を行なって、図３（ｂ）の表示画面３Ｂｂに示したような画面表示を行う。
【００７８】
そして、本実施例の画像書理システム１は、機種Ａの画像処理装置本体２０に対して、図２の操作表示端末装置３を適用させるために、ＦＡＸ用ＬＥＤ３ｅの制御に関しては、例えば、図６に示すようにＬＥＤ制御を行う。また、機種Ｂの画像処理装置本体２に対しては、ＦＡＸ機能を搭載していないため、ＦＡＸ用ＬＥＤ３ｅについては、常時消灯状態とする。
【００７９】
すなわち、機種Ａの画像処理装置本体２に対して図２の操作表示端末装置３を適用させてＦＡＸ用ＬＥＤ３ｅの動作制御を行う場合、図６に示すように、画像処理装置本体２の印刷制御部２３が、親展のＦＡＸ受信を開始すると（Ｓ３１）、ＦＡＸ受信点灯のＬＥＤ制御信号を、通信制御部２５を介して操作表示端末装置３に送信する（Ｓ３２）。
【００８０】
操作表示端末装置３は、通信制御部３２が画像処理装置本体２からＦＡＸ受信点灯のＬＥＤ制御信号を受信すると、機種共通部３１ａが機種固有部３１ｂにＦＡＸ受信点灯のＬＥＤを指示する（Ｓ３３）。機種固有部３１ｂは、図２に示したＦＡＸ用ＬＥＤ３ｅを点灯させる。
【００８１】
また、画像処理装置本体２の印刷制御部２３が、親展のＦＡＸ受信を完了すると（Ｓ３４）、ＦＡＸ受信消灯のＬＥＤ制御信号を、通信制御部２５を介して操作表示端末装置３に送信する（Ｓ３５）。
【００８２】
操作表示端末装置３は、通信制御部３２が画像処理装置本体２からＦＡＸ受信消灯のＬＥＤ制御信号を受信すると、機種共通部３１ａが機種固有部３１ｂにＦＡＸ受信消灯のＬＥＤを指示する（Ｓ３６）。機種固有部３１ｂは、上記点灯させたＦＡＸ用ＬＥＤ３ｅを消灯させる。
【００８３】
さらに、画像処理装置本体２の印刷制御部２３が、親展文書の受信を完了すると（Ｓ３７）、親展文書点灯のＬＥＤ制御信号を、通信制御部２５を介して操作表示端末装置３に送信する（Ｓ３８）。
【００８４】
操作表示端末装置３は、通信制御部３２が画像処理装置本体２から親展文書受信点灯のＬＥＤ制御信号を受信すると、機種共通部３１ａが機種固有部３１ｂに親展文書受信点灯のＬＥＤを指示する（Ｓ３９）。機種固有部３１ｂは、親展文書受信点灯のＬＥＤ指示を受け取ると、ＦＡＸ用ＬＥＤ３ｅを点滅させる。
【００８５】
そして、本実施例の画像書理システム１は、機種Ａの画像処理装置本体２０に対して、図２の操作表示端末装置３を適用させるために、試しコピーキー３ｄの制御に関しては、例えば、図７に示すように試しコピーキー３ｄの制御を行う。また、機種Ｂの画像処理装置本体２に対しては、試しコピー機能を搭載していないため、図８に示すように、試しコピーキー３ｄの操作を無視する。すなわち、機種固有部３１ｂは、試しコピーキー３ｄが操作されても、画像処理装置本体２の印刷制御部２３へ操作情報を通知しない制御を行う。
【００８６】
まず、機種Ａの画像処理装置本体２に対して図２の操作表示端末装置３を適用させて試しコピーキー３ｄの操作に対する動作制御を行う場合について、図７に基づいて説明する。機種Ａの画像処理装置本体２に対して図２の操作表示端末装置３を適用させて試しコピーキー３ｄの動作を行う場合、図７に示すように、ユーザＵが操作表示端末装置３の試しコピーキー３ｄを押下操作すると（Ｓ４１）、機種共通部３１ａが該試しコピーキー３ｄの押下操作があったことを機種固有部３１ｂに通知する（Ｓ４２）。
【００８７】
機種固有部３１ｂは、機種Ａの画像処理装置本体２が試しコピー機能を備えているため、試しコピーキー３ｄが押下操作された旨の情報を、通信制御部３２に渡して、通信制御部３２が通信回線４を介して画像処理装置本体２に送信する。
【００８８】
画像処理装置本体２は、試しコピーキー３ｄの押下情報を通信制御部２５が受信すると、該試しコピーキー３ｄの押下情報を印刷制御部２３に渡す（Ｓ４３）。
【００８９】
印刷制御部２３は、試しコピーキー３ｄの押下操作に応じて試しコピー処理を実行する。
【００９０】
次に、機種Ｂの画像処理装置本体２に対して図２の操作表示端末装置３を適用させて試しコピーキー３ｄの操作に対する動作制御を行う場合について、図８に基づいて説明する。機種Ｂの画像処理装置本体２に対して図２の操作表示端末装置３を適用させて試しコピーキー３ｄの動作を行う場合、図８に示すように、ユーザＵが操作表示端末装置３の試しコピーキー３ｄを押下操作すると（Ｓ５１）、機種共通部３１ａが該試しコピーキー３ｄの押下操作があったことを機種固有部３１ｂに通知する（Ｓ５２）。
【００９１】
機種固有部３１ｂは、機種Ｂの画像処理装置本体２が試しコピー機能を備えていないため、試しコピーキー３ｄが押下操作された旨の情報を、通信制御部３２に渡して、通信制御部３２から画像処理装置本体２へ送信させることなく、画像処理装置本体２への通知を拒否して処理を終了する。
【００９２】
画像処理装置本体２は、備えていない機能である試しコピーキー３ｄが押下操作された旨の情報を受信することなく、該情報に対する無駄な処理を行うことなく、通常の動作を行うことができる。
【００９３】
なお、上記説明においては、操作表示端末装置３が、機種共通部３１ａと機種固有部３１ｂを備えている。そして、種々の機種の画像処理装置本体２が共通に備えている機能に関する操作表示端末装置３としての処理については、機種共通部３１ａが、処理を実行し、適用される画像処理装置本体２の機種に固有の機能に関する操作表示端末装置３としての処理については、機種固有部３１ｂが処理を実行している。
【００９４】
ところが、機種共通部３１ａは、機種固有部３１ｂが導入されていない場合にも、基本的な機能を提供する機能を備えていてもよい。
【００９５】
例えば、図８（ａ）に示すような操作表示端末装置３や画像処理装置本体２のファームウェアのアップデート処理、機種固有部３１ｂのインストール処理、図８（ｂ）に示すような画像処理装置本体２における致命的なエラーの発生を通知する処理等の機能を備えていてもよい。
【００９６】
また、操作表示端末装置３は、機種共通部３１ａのみを備えて、全ての処理、すなわち、機種固有部３１ｂが行う処理を含めた処理を機種共通部３１ａが行なってもよい。
【００９７】
さらに、操作表示端末装置３は、その機種共通部３１ａまたは機種固有部３１ｂの機能として、機種固有部３１ｂが画像処理装置本体２の機種固有の機能として備えている機種固有機能が、操作表示端末装置３の適用される実際の画像処理装置本体２が備えている機能とが異なると、例えば、図９に示すような機能に差がある旨のメッセージを、表示画面３ｂに表示するようにしてもよい。この場合、操作表示端末装置３は、機種固有部３１ｂの備えている固有機能と、画像処理装置本体２の備えている機能との差の検出及び表示画面３ｂへの表示を、機種固有部３１ｂと機種共通部３１ａのいずれが行なってもよい。
【００９８】
また、操作表示端末装置３は、前記機種固有部３１ｂが、着脱可能に装着されており、適用する画像処理装置本体２の機種に対応した機種固有情報の組み込まれている機種固有部３１ｂが適宜装着されて、該画像処理装置本体２の操作表示端末装置として機能するようになっていてもよい。
【００９９】
このように、本実施例の画像処理システム１は、画像処理を行う画像処理装置本体２と、表示画面３ｂ、ＦＡＸ用ＬＥＤ３ｅ等の情報出力手段とスタートキー３ｃ、試しコピーキー３ｄ等の操作手段を備えて該画像処理装置本体２と有線及び無線の適宜の通信回線４で通信して該画像処理装置本体２に対する操作関連処理を該情報出力手段と該操作手段を用いて行う操作表示端末装置（操作端末装置）３と、を備え、前記操作表示端末装置３が、画像処理装置本体２と通信回線４で通信する通信Ｉ／Ｆ（端末通信手段）３３と、画像処理装置本体２の備えている画像処理機能に対応する操作関連情報の取得要求を通信Ｉ／Ｆ３３を介して該画像処理装置本体２に対して行う通信制御部（情報取得要求手段）３２と、前記情報取得要求に応じて画像処理装置本体２から送られてくる前記操作関連情報のうち、画像処理装置本体の機種に非依存の共通機能に対応する共通機能対応操作関連情報に応じて前記情報出力手段及び前記操作手段を制御する機種共通部（共通機能制御手段）３１ａと、前記情報取得要求に応じて画像処理装置本体２から送られてくる前記操作関連情報のうち、該画像処理装置本体２の機種に依存する固有機能に対応する固有機能対応操作関連情報に応じて前記情報出力手段及び前記操作手段を制御する機種固有部（固有機能制御手段）３２と、機種共通部３１ａと機種固有部３１ｂによる制御結果に応じて前記情報出力手段及び前記操作手段に対して実行された操作情報を通信Ｉ／Ｆ３３を介して画像処理装置本体２へ送信する通信制御部（通信制御手段）３２と、を備え、画像処理装置本体２が、操作表示端末装置３と通信回線４で通信する通信Ｉ／Ｆ（装置通信手段）２６と、操作表示端末装置３からの前記操作関連情報の取得要求を通信Ｉ／Ｆ２６が受け取ると、自己の備えている画像処理機能に対応する操作関連情報を該通信Ｉ／Ｆ２６に該操作表示端末装置３へ送信させる印刷制御部（操作関連情報提供手段）２３と、通信Ｉ／Ｆ２６が操作表示端末装置３から前記操作情報を受信すると、該操作情報に応じて画像処理機能を実行する印刷制御部（動作制御手段）２３と、を備えている。
【０１００】
したがって、限られた表示画面３ｂ、ＦＡＸ用ＬＥＤ３ｅ等の情報出力手段とスタートキー３ｃ、試しコピーキー３ｄ等の操作手段に対して、機種の異なる画像処理装置本体２において共通機能については、機種共通部３１ａで、固有機能については、機種固有部３１ｂで制御して表示制御と操作制御を行うことができる。その結果、１つの操作表示端末装置３を異なる機種の画像処理装置本体２に適切に適用することができる。
【０１０１】
また、本実施例の画像処理システム１は、画像処理を行う画像処理装置本体２と、表示画面３ｂ、ＦＡＸ用ＬＥＤ３ｅ等の情報出力手段とスタートキー３ｃ、試しコピーキー３ｄ等の操作手段を備えて該画像処理装置本体２と有線及び無線の適宜の通信回線４で通信して該画像処理装置本体２に対する操作関連処理を該情報出力手段と該操作手段を用いて行う操作表示端末装置（操作端末装置）３と、を備え、操作表示端末装置３が、画像処理装置本体２と通信回線４で通信する端末通信処理ステップと、画像処理装置本体２の備えている前記画像処理機能に対応する操作関連情報の取得要求を前記端末通信処理ステップを介して該画像処理装置本体２に対して行う情報取得要求処理ステップと、前記情報取得要求に応じて画像処理装置本体２から送られてくる前記操作関連情報のうち、画像処理装置本体２の機種に非依存の共通機能に対応する共通機能対応操作関連情報に応じて前記情報出力手段及び前記操作手段を制御する共通機能制御処理ステップと、前記情報取得要求に応じて画像処理装置本体２から送られてくる前記操作関連情報のうち、該画像処理装置本体２の機種に依存する固有機能に対応する固有機能対応操作関連情報に応じて前記情報出力手段及び前記操作手段を制御する固有機能制御処理ステップと、前記共通機能制御処理ステップと前記固有機能制御処理ステップによる制御結果に応じて前記情報出力手段及び前記操作手段に対して実行された操作情報を前記端末通信処理ステップを介して画像処理装置本体２へ送信する通信制御処理ステップと、を有し、画像処理装置本体２が、操作表示端末装置３と通信回線４で通信する装置通信処理ステップと、操作表示端末装置３からの前記操作関連情報の取得要求を前記装置通信処理ステップが受け取ると、自己の備えている画像処理機能に対応する操作関連情報を該装置通信処理ステップに該操作表示端末装置３へ送信させる操作関連情報提供処理ステップと、前記装置通信処理ステップが操作表示端末装置３から前記操作情報を受信すると、該操作情報に応じて前記画像処理機能を実行する動作制御処理ステップと、を有している操作制御方法を実行している。
【０１０２】
したがって、限られた表示画面３ｂ、ＦＡＸ用ＬＥＤ３ｅ等の情報出力手段とスタートキー３ｃ、試しコピーキー３ｄ等の操作手段に対して、機種の異なる画像処理装置本体２において共通機能については、機種共通部３１ａで、固有機能については、機種固有部３１ｂで制御して表示制御と操作制御を行うことができる。その結果、１つの操作表示端末装置３を異なる機種の画像処理装置本体２に適切に適用することができる。
【０１０３】
さらに、本実施例の画像処理システム１は、画像処理する画像処理装置本体２と、情報出力手段と操作手段を備えて該画像処理装置本体２と有線及び無線の適宜の通信回線４で通信して該画像処理装置本体２に対する操作関連処理を該情報出力手段と該操作手段を用いて行う操作表示端末装置３と、を備え、前記操作表示端末装置３の搭載する制御プロセッサに、画像処理装置本体２と通信回線４で通信する端末通信処理と、画像処理装置本体２の備えている前記画像処理機能に対応する操作関連情報の取得要求を前記端末通信処理を介して該画像処理装置本体２に対して行う情報取得要求処理と、前記情報取得要求に応じて画像処理装置本体２から送られてくる前記操作関連情報のうち、画像処理装置本体の機種に非依存の共通機能に対応する共通機能対応操作関連情報に応じて前記情報出力手段及び前記操作手段を制御する共通機能制御処理と、前記情報取得要求に応じて画像処理装置本体２から送られてくる前記操作関連情報のうち、該画像処理装置本体２の機種に依存する固有機能に対応する固有機能対応操作関連情報に応じて前記情報出力手段及び前記操作手段を制御する固有機能制御処理と、前記共通機能制御処理と前記固有機能制御処理による制御結果に応じて前記情報出力手段及び前記操作手段に対して実行された操作情報を前記端末通信処理を介して画像処理装置本体２へ送信する通信制御処理と、を実行させ、画像処理装置本体２の搭載する制御プロセッサに、操作表示端末装置３と通信回線４で通信する装置通信処理と、操作表示端末装置３からの前記操作関連情報の取得要求を前記装置通信処理が受け取ると、自己の備えている画像処理機能に対応する操作関連情報を該装置通信処理に該操作表示端末装置３へ送信させる操作関連情報提供処理と、前記装置通信処理が操作表示端末装置３から前記操作情報を受信すると、該操作情報に応じて前記画像処理機能を実行する動作制御処理と、を実行させる操作制御プログラムを搭載している。
【０１０４】
したがって、限られた表示画面３ｂ、ＦＡＸ用ＬＥＤ３ｅ等の情報出力手段とスタートキー３ｃ、試しコピーキー３ｄ等の操作手段に対して、機種の異なる画像処理装置本体２において共通機能については、機種共通部３１ａで、固有機能については、機種固有部３１ｂで制御して表示制御と操作制御を行うことができる。その結果、１つの操作表示端末装置３を異なる機種の画像処理装置本体２に適切に適用することができる。
【０１０５】
また、本実施例の画像処理システム１は、操作表示端末装置３の機能固有部分３１ｂが、前記操作手段に対する操作が前記固有機能対応操作関連情報と矛盾する場合には、該操作を無視している。
【０１０６】
したがって、画像処理装置本体２が処理に矛盾が生じるような操作情報を操作表示端末装置３から画像処理装置本体２へ送信することを防止することができ、操作処理の適正化を向上させることができる。
【０１０７】
さらに、本実施例の画像処理システム１は、操作表示端末装置３が、画像処理装置本体２の機種に対応する前記機種固有対応操作関連情報を搭載する機種固有部（前記固有機能制御手段）３１ｂが着脱可能に装着されていてもよい。
【０１０８】
このようにすると、機種固有部３１ｂを画像処理装置本体２の機種に合わせて交換するだけで、多数の機種の画像処理装置本体２に操作表示端末装置３を適用することができ、汎用性を向上させることができる。
【０１０９】
また、本実施例の画像処理システム１は、操作表示端末装置３の機種固有部３１ｂが、画像処理装置本体２から取得した前記固有機能の前記操作関連情報が、処理可能な固有機能とは異なると、その旨の警告を液晶表示画面（情報出力手段）３ｂに出力させている。なお、機種固有部３１ｂは、その旨の警告をＦＡＸ用ＬＥＤ３ｅを点灯／点滅させることで出力させてもよい。
【０１１０】
したがって、操作表示端末装置３を用いて操作しようとしている画像処理装置本体２の固有機能に対して機種固有部３１ｂが適合していない場合に、ユーザが該画像処理装置本体２に対して操作表示端末装置３を使用してしまうことによる不都合を未然に防止することができる。
【０１１１】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１１２】
１  画像処理システム
２  画像処理装置本体
３  操作表示端末装置
３ａ  本体筐体
３ｂ  表示画面
３ｃ  スタートキー
３ｄ  試しコピーキー
３ｅ  ＦＡＸ用ＬＥＤ
３Ａｂ、３Ｂｂ  表示画面
４  通信回線
２０  ＯＳ
２１  スキャナデバイス
２２  プロッタデバイス
２３  印刷制御部
２４  送信制御部
２５  通信制御部
２６  通信Ｉ／Ｆ
３０  ＯＳ
３１  操作情報表示部
３１ａ  機種共通部
３１ｂ  機種固有部
３２  通信制御部
３３  通信Ｉ／Ｆ
【先行技術文献】
【特許文献】
【０１１３】
【特許文献１】特開２００７−１７４２１５号公報
【図１】
2014137602.tif 000003
【図２】
2014137602.tif 000004
【図３】
2014137602.tif 000005
【図４】
2014137602.tif 000006
【図５】
2014137602.tif 000007
【図６】
2014137602.tif 000008
【図７】
2014137602.tif 000009
【図８】
2014137602.tif 000010
【図９】
2014137602.tif 000011
【図１０】
2014137602.tif 000012